(57)【要約】【課題】濡れたスイミングウエア、タオルを収納したバックを保持した場合であっても、保持者は、濡れることがなく、また、使用済みの濡れた物を入れているバックをそのまま、洗濯袋として洗濯機に入れて洗濯が可能な、スイミングバックを提供する。【解決手段】本考案のスイミングバック１００は、防水素材より成り、開口３５を有する第一の袋３０と、前記第一の袋内に収容される、粗い網目と細かい網目の二重構造の網体で形成される第二の袋５０よりなり、前記第二の袋５０は、開閉可能な開閉部５５を有し、前記第一の袋３０の開口３５に対応して前記開閉部５５が配される構成を基本的に具備している。【選択図】図１
0003225219.tif 000002
【実用新案登録請求の範囲】
【請求項１】
防水素材より成り、開口を有する第一の袋と、
前記第一の袋内に収容される、粗い網目と細かい網目の二重構造の網体で形成される第二の袋よりなり、
前記第二の袋は、開閉可能な開閉部を有し、前記第一の袋の開口に対応して前記開閉部が配されてなるスイミングバック。
【請求項２】
前記第一の袋は透明な防水素材よりなり、前記第二の袋の表面の絵柄が透視可能である請求項１記載のスイミングバック。
【請求項３】
前記第一の袋は、仕切り部材で区画された上部収容部と下部収容部を有し、該上部収容部には前記第二の袋が収容され、前記下部収容部は前記仕切り部材との周縁に開閉部材が配設されて開閉自在であることを特徴とする請求項１または２記載のスイミングバック。
【請求項４】
前記第二の袋は第一の袋の上部収容部の縦・横寸法よりわずかに小さな縦横・寸法を有し、第一の袋の開口から出し入れ可能であることを特徴とする請求項１乃至３記載のスイミングバック。
【請求項５】
前記第二の袋は第一の袋から出したとき、ランドリーバックとなることを特徴とする請求項１乃至４記載のスイミングバック。
【考案の詳細な説明】
【技術分野】
【０００１】
本考案は、スイミングウエア、タオル等スイミングに必要とする物を持ち運ぶバックに関する。
【背景技術】
【０００２】
通常、スイミングに必要なものを持ち運ぶバックとしては、防水性のナイロン、ポリビニールフイルムなど、スイミングで使用した濡れたスイミングウエア、タオルを入れてもバック保持者が濡れない構造のバックとなっている。
【０００３】
また、帰宅後には使用したスミングウエアは洗濯して、乾燥させてから収納する必要がある。
そこで、濡れたウエアを編み体でできたバックに入れて持ち帰り、そのまま、洗濯機内に入れて洗濯する形態も、NET上に紹介されている。
【先行技術文献】
【特許文献】
【０００４】
【特許文献１】実用新案登録第３０６２２２６号公報
【考案の概要】
【考案が解決しようとする課題】
【０００５】
通常の洗濯ネットは、柔軟性のあるネット（網体）で構成し、被洗濯物を出し入れする開閉部を有する袋体である。柔軟性のある網体であった場合は、洗濯袋をその状態でバックとして使用するには自立性が無く持ち歩きできるバックとは成りえなかった。
また、持ち運び可能な洗濯袋があったとしても、使用済の濡れたウエアを網体でできたバック（洗濯袋）に入れて持ち運ぶ場合、保持者が濡れてしまう危惧があった。
【０００６】
本考案は、濡れたスイミングウエア、タオルを収納したバックを保持した場合であっても、保持者は、濡れることがなく、また、帰宅後は、使用済みの濡れた物を入れているバックをそのまま、洗濯袋として洗濯機に入れて洗濯が可能な、スイミングバックを提供するものである。
【課題を解決するための手段】
【０００７】
本考案のスイミングバックは、防水素材より成り、開口を有する第一の袋と、前記第一の袋内に収容される、粗い網目と細かい網目の二重構造の網体で形成される第二の袋よりなり、前記第二の袋は、開閉可能な開閉部を有し、前記第一の袋の開口に対応して前記開閉部が配される構成を基本的に具備している。
【考案の効果】
【０００８】
本考案のスイミングバックは、濡れたスイミングウエア、タオルを収納したバックを保持した場合であっても、保持者は、濡れることがなく、また、帰宅後は、使用済みの濡れた物を入れているバックをそのまま、洗濯袋として洗濯が可能である。
【図面の簡単な説明】
【０００９】
【図１】図１は、本考案の斜視図
【図２】図２は、第一の袋の説明図
【図３】図３は、第二の袋の斜視図
【図４】図４は、第二の袋の網体の説明図
【図５】図５は、第一の袋の下部袋を拡開した説明図
【考案を実施するための形態】
【００１０】
本考案を図面を参照して、詳述する。
図１は本考案の斜視図、図２は第一の袋の説明図、図３、４は、第二の袋の説明図である。
本考案のスイミングバック１００は、上端を開口３５とした有底の第一の袋３０と、第一の袋３０に収容されている第二の袋５０よりなる。
第一の袋３０は、防水性素材よりなる。防水性素材としては、ポリビニールフイルム、ナイロンフイルム等が用いられている。
第一の袋３０は、仕切り板１２により、仕切り板１２を底部とする上部収容部１０と、第一の袋の底１５を底部とする下部収容部２０に区画されている。
上部収容部１０は第一の袋３０の半分以上の容積を締めている。仕切り板１２はその周縁に開閉機構、例えばファスナー１３を配設する。ファスナーを開閉することにより、第一の袋３０は仕切り板１２を底部とした上部収容部１０と、第一の袋３０の底板１５で構成される下部収容部２０の収容空間を連結・拡開する。・・・図５参照
【００１１】
上部収容部１０の高さ寸法Ｈと第二の袋５０の高さ寸法ｈの関係は、Ｈ＝ｈ、あるいは僅かにＨ＞ｈとなっている。
また、上部収容部１０の幅寸法Ｌと第二の袋５０の幅寸法ｌの関係は、僅かにＬ＞ｌとなっている
【００１２】
第二の袋５０の構成を図３，４を参照して説明する。
第二の袋５０は網体で構成されている。・・図４参照
網体は、細かい網目からなる内網地５１と、粗い網目からなる外網地５２の二重構造となっている。例えば、内網地５１は細いフイラメントヤーンを用い柔軟性を有し、外網地５２は太いフイラメントヤーンを用いて剛性を有している。内網地５１と外網地５２は、連結用編み組織で連結されており、張りが剛く、腰の強い保形性能を有する袋を形成している。
【００１３】
第二の袋５０の上端にはファスナー、面状ファスナー等の開閉機構（留め具）５５が配設され、開閉自在の構成となっている。側面には絵柄５６が描かれていても良い。第二の袋５０は上端の留め具５５を開いて被収容物を収容することができる。
【００１４】
スイミングバック１００は、第二の袋５０が第一の袋３０の上部収容部１０に嵌合し、留め具５５が、第一の袋３０の開口３５に対応して配設されて構成されている。
第二の袋５０の高さ寸法ｈは上部収容部１０の高さ寸法Ｈと同寸法、あるいは僅かに上部収容部１０の高さ寸法Ｈが高く、幅寸法は第二の袋５０の幅寸法ｌが上部収容部１０の幅寸法Ｌよりわずかに小さく構成されている。この構成により、第二の袋５０は第一の袋３０の上部収容部１０に隙間なく、あるいは僅かな隙間を有して嵌合される。また、第２の袋５０は張り・腰が強く保形性能を有しているので、上部収容部１０内で撓むことなく上部収容部１０に収容される。
【００１５】
スイミングバック１００には、上端に、持ち運びに供する持ち手１５０が配設されている。
【００１６】
このように構成されるスイミングバック１００の使用を説明する。
スイミングバック１００内の上部収容部１０内の第二の袋５０の開閉機構５５を開き、使用済の濡れたスイミングウエア、タオルなどを収納する。第二の袋５０の開閉機構５５を閉じる。
このとき、第二の袋５０は網体で構成されているので、内部に収納されている濡れた収容物からの水がスイミングバック１００内に漏れるが、上部収容部１０は防水性を有する素材で構成されているので、スイミングバック１００の外部には漏れてこない。バック保持者は第一の袋３０に接触しているが、第２の袋５０から漏れ出る水分の影響はない。
さらに、濡れてほしくない所持物、例えば定期、時計などは下部収容部２０に収納する。
下部収容部２０は仕切り板１２で上部収容部１０とは区画され、上部収容部１０の湿気から隔離されている。
【００１７】
このスイミングバック１００を保持することで、上部収容部１０には使用済の濡れた衣服・タオルを収納するとともに、下部収容部２０は乾燥した環境を維持でき、濡れてほしくない所持品を乾燥状態で保持できる。
【００１８】
さらに、上部収容部１０を透明とすることにより、内部に収容する第二の袋５０の側面に描かれた絵柄を透視可能となり、バックとしての趣向を高めることが出来る。
また、持ち帰った使用済の被収容物は第二の袋５０に収容した状態で、スイミングバック１００の上部収容部１０の開口３５から取出し、そのまま洗濯機に入れて洗濯ができる。
このように、第２の袋５０はランドリーバックとしても使用可能である。
【符号の説明】
【００１９】
１０  上部収納部
１２  仕切り板
１３  開閉機構
１５  開口
２０  下部収納部
３０  第一の袋
５０  第二の袋
５５  開閉部
５６  絵柄
１００  スイミングバック
【図１】
0003225219.tif 000003
【図２】
0003225219.tif 000004
【図３】
0003225219.tif 000005
【図４】
0003225219.tif 000006
【図５】
0003225219.tif 000007